(57)【特許請求の範囲】
【請求項１】
床面上に前記床面に平行する方向に互いに離間して立設された支持体と、
前記支持体によって下面を支持された上板と、
前記支持体と前記上板とを連結する連結部材と、
前記連結部材と前記支持体とを固定する固定部とを有し、
前記支持体は、上部から側方に突出する突出部を備え、
前記連結部材は、基部と、前記基部から突出して設けられて前記突出部を上下方向に挟み込む上下一対の把持片を備え、
前記固定部は、前記連結部材と前記支持体との間に、上下方向に交差する方向に沿って前記連結部材の前記基部と前記支持体の前記突出部とを引き付ける締結力を付与し、
前記上下一対の把持片のうち上部の把持片が、前記支持体の上面に上方から着脱可能な取付ネジによって螺着されていることを特徴とする上板付き什器。
【請求項２】
前記突出部は、前記上下一対の把持片のうち下部の把持片に面し、前記連結部材の前記基部に向かうに従って上方に向かうように傾斜する下部傾斜面を備えることを特徴とする請求項１に記載の上板付き什器。
【請求項３】
前記突出部は、前記上下一対の把持片のうち上部の把持片に面し、前記連結部材の前記基部に向かうに従って下方に向かうように傾斜する上部傾斜面を備えることを特徴とする請求項１又は請求項２に記載の上板付き什器。
【請求項４】
床面上に前記床面に平行する方向に互いに離間して立設された支持体と、
前記支持体によって下面を支持された上板と、
前記支持体と前記上板とを連結する連結部材と、
前記連結部材と前記支持体とを固定する固定部とを有し、
前記支持体は、上部から側方に突出する突出部を備え、
前記連結部材は、基部と、前記基部から突出して設けられて前記突出部を上下方向に挟み込む上下一対の把持片を備え、
前記固定部は、前記連結部材と前記支持体との間に、上下方向に交差する方向に沿って前記連結部材の前記基部と前記支持体の前記突出部とを引き付ける締結力を付与し、
前記支持体は、前記床面に平行する方向に互いに離間して配設され且つ上下方向に延びる一対の支柱部材と、前記一対の支柱部材間に延設されて前記支柱部材の上部同士を連結する上部部材と、を備え、
前記上部部材は、前記上板の中央側に向けて突出する突部を有する断面形状であることを特徴とする上板付き什器。
【請求項５】
前記上部部材は、前記上板の外縁部に沿って配され、前記上板の外縁部側に突出する他の突部を有して左右対象な断面形状であることを特徴とする請求項４に記載の上板付き什器。
【発明の詳細な説明】
【技術分野】
【０００１】
本発明は、上板付き什器に関し、例えばオフィスや公共施設等の執務空間において、執務者に作業平面等を提供する上板付き什器に関するものである。
【背景技術】
【０００２】
一般に、オフィスや公共施設等の執務空間には、執務者が筆記作業や電子機器を用いての作業を行うための作業平面や執務者の体の一部を載せる平面を提供可能な上板付き什器が設置されている。上板付き什器の構造としては、床面上に互いに離間して立設された複数の支持体と、この支持体によって底面を支持される上板と、支持体と上板とを連結する連結部材と、を備えたものが挙げられる。
【０００３】
例えば特許文献１には、床面上に左右方向に離間して設置される複数の脚体と、該脚体の上部間に架設された上板と、該脚体の上部同士を連結するとともに、前記上板の下面を支持する連結部材とを備えたデスク装置（上板付き什器）が開示されている。特許文献１に開示されているデスク装置において、前記連結部材は、平面視して前記上板の前後方向中央部に配設され、前記脚体の前記前後方向の端部近傍と前記連結部材とをそれぞれ補強杆にて連結するとともに、前記脚体上面、前記連結部材上面及び前記補強杆上面のいずれかによって前記上板下面を支持することによって、該デスク装置における左右方向中間部の前記上板下面にオプション取付用空間を形成している。
【０００４】
また、例えば特許文献２には、床面上に設置されて上下方向に延出する２本の脚本体部が、当該脚本体部の上部で横梁部によって相互に連結されて成る一対の脚体と、前記横梁部の延出方向である奥行方向と直交する幅方向に沿って延出し、前記一対の脚体の上部同士を連結する複数の連結杆と、前記一対の脚体と前記複数の連結杆の上部に支持される上板と、を備えたデスク装置が開示されている。特許文献２に開示されているデスク装置において、前記脚体の横梁部の前記幅方向の内側の上部コーナ領域には、当該横梁部の頂部面よりも下位となる段差部が設けられ、前記連結杆の端部を支持する支持アームが前記段差部内に配置され、前記支持アームの前記幅方向に沿う面が、前記段差部の底面、または、前記段差部の側端部に臨む前記脚本体部の側面に接触した状態で固定されている。
【０００５】
上述したような従来の上板付き什器においては、什器使用時に、上板上面にかかる荷重を連結部材及び支持体によって支持するため、連結部材と支持体とが強固に連結されていることが求められる。
連結部材と支持体との連結方法としては、例えば、取付ネジ等を用いて、支持体の内側面から外側面に貫通するように穿設された挿通孔に連結部材の軸方向の両側端部を螺着する方法や、支持体の内側面に設けたネジ穴に連結部材の軸方向の両側端部を螺着する方法が採用されている。
【０００６】
上述の連結部材と支持体との連結方法は、簡易的且つ安価な構成によって行うことができるが、下方向の荷重を支えるための連結部材と支持体との連結強度は取付ネジのみの剛性によるので、連結部材と支持体との連結部にズレや歪みが生じ易く、このようなズレや歪みに起因する上板付き什器のガタツキや揺れを招くという問題を有していた。また、連結部材と支持体との連結部が平面状であるため、組立作業時に作業者がいずれか一方を支持しながら組み立てる必要があり、作業効率が悪いという問題を有していた。
【０００７】
上述の問題を鑑み、支持体から内方に向かって支持片を突設し、支持片上に連結部材を載置した状態で支持片と連結部材端部とを連結する方法が発明されている（特許文献１及び特許文献２参照）。これらの構造によれば、連結部材と支持体との連結部が支持片によって支持されるので、連結部材と支持体とを強固且つ安定的に連結することができる。また、支持体と連結部材との連結時における作業効率を高めるとすることができる。
【先行技術文献】
【特許文献】
【０００８】
【特許文献１】特開２０１３−０９４２７９号公報
【特許文献２】特開２０１４−０６８９２０号公報
【発明の概要】
【発明が解決しようとする課題】
【０００９】
しかしながら、特許文献１及び特許文献２に記載の上板付き什器では、支持体から突設された支持片上に連結部材を載置して支持片と連結する構成であるため、連結部材より下方に支持片が配置されることになり、執務者が上板付き什器を使用する際に下肢を収容する、或いはワゴン等の什器を収容するための空間（以下、単に「収容空間」とする場合がある）が狭められてしまうという問題があった。
また、連結部材と支持体とが下方から連結手段等で連結されている場合、連結手段が支持体の下方に配置されることになるため、収容空間がさらに狭められてしまうという問題があった。
【００１０】
本発明は、上記事情を鑑みてなされたものであり、什器として強固且つ安定的に構成可能であって、且つ収容空間を広く確保可能な上板付き什器を提供する。
【課題を解決するための手段】
【００１１】
上述の目的を達成するために、本発明は以下の手段を採用している。
即ち、本発明に係る上板付き什器は、床面上に前記床面に平行する方向に互いに離間して立設された支持体と、前記支持体によって下面を支持された上板と、前記支持体と前記上板とを連結する連結部材と、前記連結部材と前記支持体とを固定する固定部とを有し、前記支持体は、上部から側方に突出する突出部を備え、前記連結部材は、基部と、前記基部から突出して設けられて前記突出部を上下方向に挟み込む上下一対の把持片を備え、前記固定部は、前記連結部材と前記支持体との間に、上下方向に交差する方向に沿って前記連結部材の前記基部と前記支持体の前記突出部とを引き付ける締結力を付与し、前記上下一対の把持片のうち上部の把持片が、前記支持体の上面に上方から着脱可能な取付ネジによって螺着されていることを特徴とする。
【００１２】
このような上板付き什器では、支持体の突出部が連結部材の上下一対の把持片間に挟み込まれた状態で、支持体と連結部材とが固定部で引き付けられて固定されることで、支持体と連結部材が上下方向及び上下方向に交差する方向に拘束され、支持体と連結部材との連結強度を高めることができる。また、支持体と連結部材とが固定部により上下方向に交差する方向に付与される締結力により引き付けられて固定されるので、固定部を構成する部材を連結部材と支持体との連結部から下方に突出させることなく、上下方向においてコンパクトに構成することができる。従って、上板下方の収容空間が広く確保される。
【００１４】
このような上板付き什器では、取付ネジによって上部の把持片（上部把持片）が支持体上面に強固に連結されているので、支持体と連結部材との連結強度がより高まり、什器として強固且つ安定的に構成される。この場合にも、取付ネジは上方から着脱可能な構成であることで、連結部材と支持体との連結部から下方に突出させることなく、上下方向においてコンパクトに構成することができる。
【００１５】
本発明に係る上板付き什器では、前記突出部は、前記上下一対の把持片のうち下部の把持片に面し、前記連結部材の前記基部に向かうに従って上方に向かうように傾斜する下部傾斜面を備えていてもよい。
【００１６】
このような上板付き什器では、下部傾斜面に沿って連結部材が上下一対の把持片の間の把持空間の内方に引き付けられることにより、支持体と連結部材との連結強度がより高まり、什器として強固且つ安定的に構成される。
【００１７】
本発明に係る上板付き什器では、前記突出部は、前記上下一対の把持片のうち上部の把持片に面し、前記連結部材の前記基部に向かうに従って下方に向かうように傾斜する上部傾斜面を備えていてもよい。
【００１８】
このような上板付き什器では、上部傾斜面に沿って連結部材が上下一対の把持片の間の把持空間の内方に引き付けられることにより、支持体と連結部材との連結強度がより高まり、什器として強固且つ安定的に構成される。
【００１９】
本発明に係る上板付き什器は、床面上に前記床面に平行する方向に互いに離間して立設された支持体と、前記支持体によって下面を支持された上板と、前記支持体と前記上板とを連結する連結部材と、前記連結部材と前記支持体とを固定する固定部とを有し、前記支持体は、上部から側方に突出する突出部を備え、前記連結部材は、基部と、前記基部から突出して設けられて前記突出部を上下方向に挟み込む上下一対の把持片を備え、前記固定部は、前記連結部材と前記支持体との間に、上下方向に交差する方向に沿って前記連結部材の前記基部と前記支持体の前記突出部とを引き付ける締結力を付与し、前記支持体は、前記床面に平行する方向に互いに離間して配設され且つ上下方向に延びる一対の支柱部材と、前記一対の支柱部材間に延設されて前記支柱部材の上部同士を連結する上部部材と、を備え、前記上部部材は、前記上板の中央側に向けて突出する突部を有する断面形状である。
その場合、前記上部部材は、前記上板の外縁部に沿って配され、前記上板の外縁部側に突出する他の突部を有して左右対象な断面形状であってもよい。
【００２０】
このような上板付き什器では、支持体の上部部材の内側面（即ち、上板の中央側）に突部が突出するので、剛性を確保する上で必要な部材断面を確保しつつ、什器としての体裁が軽快なデザインになり、什器側方（即ち、上板の外縁側）からの使い勝手が良好になる。
また、上部部材が、他の突部を有した左右対象な断面形状をなすことで、上板の外縁部側に向かうに従って部材厚が薄くなるような断面形状となり、剛性を確保する上で必要な部材断面を確保しつつ、執務者（或いは上板付き什器の使用者）に上部部材を薄く見せることができ、上部部材の体裁が良好に収まる。
【発明の効果】
【００２１】
本発明に係る上板付き什器によれば、什器として強固且つ安定的に構成可能であって、且つ収容空間を広く確保することができる。
【図面の簡単な説明】
【００２２】
【図１】本発明の一の実施形態のデスクの斜視図である。
【図２】上板の下面側から見た図１に示すデスクの部分平面図である。
【図３】図１に示すデスクが備える支持体の一部の分解斜視図である。
【図４】図１に示すデスクの連結部材の上方から見た斜視図であり、連結部材と支持体との連結方法を示す図である。
【図５】図１に示すデスクの連結部材の下方から見た斜視図であり、連結部材と支持体との連結方法を示す図である。
【図６】図１に示すデスクの連結部材の下方（斜め下方）から見た斜視図であり、連結部材と支持体との連結方法を示す図である。
【図７】図１に示すデスクにおいて、支持体の受け部（即ち、突出部）が連結部材に把持されている様子を示す断面図である。
【発明を実施するための形態】
【００２３】
以下、本発明を適用した実施形態について、図面を参照して説明する。なお、以下の説明で用いる図面は模式的なものであり、長さ、幅、及び厚みの比率等は実際のものと同一とは限らず、適宜変更することができる。また、以下の実施形態では、本発明の上板付き什器として、デスクを例に挙げて説明を行う。ただし、本発明の上板付き什器はデスクに限定されるものではなく、上板として座面を備えるとともに、支持体、上板及び連結部材を備える椅子等、他の什器に適用することも可能である。
【００２４】
図１及び図２に示すように、本実施形態のデスク１Ａは、床面Ｆ上にこの床面Ｆに平行する方向に互いに離間して立設されて上下方向を延びる支持体５と、支持体５によって支持される上板３と、支持体５と上板３とを連結する連結部材１０と、を備えている。
【００２５】
本実施形態では、支持体５は、支柱部材５０Ａ、５０Ｂにより対をなしており、上板３の外縁部３ａに沿って配され、支柱部材５０Ａ，５０Ｂの上部間を連結する杆材（上部部材）１８とともに、門型の支持構造体を構成している。なお、本実施形態のように、一対の支柱部材５０Ａ、５０Ｂが杆材１８で連結された構成に限られず、支柱部材それぞれが単独で支持体として上板３を支持する構成としても良い。
支柱部材５０Ａ、５０Ｂと上板３との連結構造は同じであることから、以下においては支柱部材５０Ａと上板３との連結構造について代表して説明する。
【００２６】
支柱部材５０Ａは、所謂脚体であり、例えばアルミダイキャストからなる。支柱部材５０Ａは、上下方向（即ち、高さ方向であり、Ｚ方向）に延在する略直線状の柱状の部位であり、床面Ｆから上方に向かって立設された支柱部５Ａと、支柱部５Ａの上端部から床面Ｆに平行する方向に向けて屈曲し、支柱部材５０Ａの上部から床面Ｆに平行する方向に沿って延出して設けられて連結部材１０と接続された受け部５Ｂと、を備えている。
【００２７】
図３及び図４に示すように、受け部５Ｂは、支柱部材５０Ａの連結部材１０に面する側面５ｍにおける上部から側方に突出する突出部４０を構成している。受け部５Ｂ（突出部４０）の連結部材１０に面する側面５ｐからは、受け部５Ｂより一回り縮小された断面形状を有し、床面Ｆに平行する方向に向けて突出する突起部５ｃが設けられている。
【００２８】
また、支柱部５Ａの下端部５ａ側は、上端部５ｂ側よりも上板３の外方に向けて位置するように、鉛直方向に対して傾斜している。支柱部５Ａの上端部５ｂは、床面Ｆに平行する方向に向けて屈曲している。
上板３の外側に面する側面５ｅ側には、支柱部５Ａの下端部５ａ近傍から上端部５ｂ近傍に亘って凹部５ｆが形成されている。即ち、傾斜した支柱部５Ａの上方に向くようにして傾斜した側面５ｅ側に沿って、凹部５ｆは上方に向くように開口している。凹部５ｆは、側面５ｅから他の支柱部材５０Ａに向く側に向けて窪む領域であり、支柱部材５０Ａの下端部５ａ近傍から上端部５ｂ近傍に亘って形成されることによって、支柱部材５０Ａの長手方向に沿って長尺状に形成されている。
【００２９】
また、支柱部５Ａは、凹部５ｆの内部に支柱部５Ａの長手方向に沿って形成される一つの縦リブ５ｇと、床面Ｆに平行する方向に縦リブ５ｇと直交して配され、高さ方向（Ｙ方向）に間隔をあけて複数設けられた横リブ５ｈと、を有している。縦リブ５ｇと横リブ５ｈは、支柱部５Ａの強度を向上させるために設けられている。また、横リブ５ｈは、着脱カバー部材７の支持部としても機能する。つまり、横リブ５ｈは、着脱カバー部材７の縁部７ｄと当接する高さ（凹部５ｆの底面からの高さ）とされており、支柱部５Ａに装着された着脱カバー部材７の縁部７ｄに当接することにより、着脱カバー部材７が凹部５ｆの内部に入り込むことを規制する。着脱カバー部材７に、例えば木目等の所望の装飾が施されることにより、複数の支柱部材同士に共通のイメージが醸し出される。また、デスク１Ａの上板３の大きさや形状が変更された場合でも、支持体５の支柱部材５０Ａが装飾を施された着脱カバー部材７を備え、装飾が共通化された着脱カバー部材７を用いることによって、デスク１Ａが一つの製品シリーズを構成し易い。
【００３０】
支柱部５Ａの上端部５ｂ側には、受け部５Ｂの上面４０ｄを上下に貫通し、下方に向けて凹部５ｆに開口する孔５ｎが形成されている。また、支柱部５Ａの下端部５ａ側には、上方に向けて凹部５ｆに開口する孔５ｋが形成されている。着脱カバー部材７の上端突起７ｃが下方から孔５ｎに嵌合可能とされ、着脱カバー部材７の下端突起７ｂが上方から孔５ｋに嵌合可能とされており、これによって支柱部材５０Ａに対して着脱カバー部材７が装着されている。
支柱部５Ａの下端部５ａには、アジャスタ６が設けられている。
なお、支持体５において支柱部材５０Ａ、５０Ｂは、支柱部５Ａ及び受け部５Ｂを備えていれば、その詳細な構成は限定されない。
【００３１】
図１に示すように、上板３には、執務者が使用する電源ケーブルや通信ケーブル等を収容可能なケーブル収容部２０が長手方向に延在して設けられている。
【００３２】
図２から図６に示すように、連結部材１０は、支柱部材５０Ａの受け部５Ｂに連結された支持体連結部１０Ａと、支持体連結部１０Ａから側方へと延び、上板３の下面３ｄ（図４では図示略）に連結された上板連結部１０Ｂと、を備えている。
ここで、連結部材１０は、対応する支持体５の支柱部材５０Ａ、５０Ｂにおける受け部５Ｂの形状に合わせた形状を有しており、支柱部材５０Ａ、５０Ｂのタイプに応じて変更可能なバリエーションを有していることが望ましい。本実施形態では、図７等に示すように、連結部材１０において、支持体連結部１０Ａは、基部１３と、受け部５Ｂを上下方向に挟み込む上部及び下部の支持片（上下一対の支持片）１１，１２とを備えている。上部の支持片１１は、基部１３の上端から受け部５Ｂの上面４０ｄに沿って延出した板状に形成され、受け部５Ｂの上面に当接されている。下部の支持片１２は、基部１３の下端から、後述する下方に向く下部傾斜面５２に沿って延出し、当該下部傾斜面５２に当接されている。
【００３３】
図６に示すように、受け部５Ｂは、上方を向く上面４０ｄと、連結部材１０の基部１３と当接する側端面５４と、上面４０ｄと側端面５４とを接続し、上面４０ｄから側端面５４、すなわち連結部材１０の基部１３に向かうに従って下方に向かうように傾斜する上部傾斜面５１とを備える。さらに、受け部５Ｂは、下方を向く下面４０ｃと、下面４０ｃと側端面５４とを接続し、下面４０ｃから側端面５４、すなわち連結部材１０の基部１３に向かうに従って上方に向かうように傾斜する下部傾斜面５２とを備える。
【００３４】
デスク１Ａは、支柱部材５０Ａの受け部５Ｂが連結部材１０の上部の支持片１１と下部の支持片１２との間に挟み込まれた状態において、支柱部材５０Ａと連結部材とを互いに側方から引き付ける固定部４８を備えている。
連結部材１０において、基部１３は、受け部５Ｂの側端面５４と当接する当接面４４を備える。
上部の支持片１１は、受け部５Ｂの上面４０ｄに当接する下面４１と、下面４１と当接面４４とに接続されて上部傾斜面５１と当接し、下面４１から当接面４４に向かうに従って下方に向かうように傾斜する傾斜面４１ｕとを備える。
下部の支持片１２は、当接面４４に接続されて下部傾斜面５２と当接し、先端から当接面４４に向かうに従って上方に向かうように傾斜する傾斜面４２ｕとを備える。
【００３５】
上述の構成では、連結部材１０の上部及び下部の支持片１１，１２間に、傾斜面４１ｕ，４２ｕ及び当接面４４によって囲まれた把持空間Ｓが形成されている。把持空間Ｓに支柱部材５０Ａの受け部５Ｂ、即ち突出部４０が嵌合することで、受け部５Ｂは上部及び下部の支持片１１，１２に挟み込まれている。
【００３６】
図３及び図７に示すように、受け部５Ｂの側端面５４には、ネジ穴５４ａが形成されている。
また、図５及び図７に示すように、連結部材１０の基部１３には、ネジ穴５４ａと対応して当接面４４から反対側の面まで貫通する貫通孔１３ａが形成されている。そして、取付ネジ３１が貫通孔１３ａを貫通してネジ穴５４ａに螺合されており、取付ネジ３１の頭部３１ａが基部１３において当接面４４と反対側の面に係合されている。これにより、連結部材１０の基部１３と突出部４０を構成する受け部５Ｂには、取付ネジ３１によって互いを引き付ける締結力が付与されている。すなわち、取付ネジ３１、ネジ穴５４ａ及び貫通孔１３ａによって、連結部材１０と支柱部材５０Ａとの間に、上下方向に交差する方向に沿って連結部材１０の基部１３と支柱部材５０Ａの突出部４０とを引き付ける締結力を付与する固定部４８が構成されている。
【００３７】
ここで、固定部４８により締結力が付与されていれば、水平方向に対する傾斜面４２ｕの傾斜角度と下部傾斜面５２の傾斜角度とは等しい場合に限らずとも、例えば、傾斜面４２ｕの傾斜角度が下部傾斜面５２の傾斜角度以下であれば、支持片１１、１２が弾性変形して受け部５Ｂを挟み込むことにより、より一層強固に連結部材１０と受け部５Ｂとを接続することができる。
【００３８】
図２及び図７に示すように、受け部５Ｂの上面４０ｄには、ネジ穴４０ｅが形成されている。
また、図６及び図７に示すように、連結部材１０の上部及び下部の支持片１１，１２のうち上部の支持片１１には、ネジ穴４０ｅと対応して上面から下面４１まで貫通する貫通穴１１ａが形成されている。そして、取付ネジ３０が貫通孔１１ａを貫通してネジ穴４０ｅに螺合されており、取付ネジ３０の頭部３０ａが支持片１の上面に係合されて、これにより連結部材１０の支持片１１と受け部５Ｂとが、上方から着脱可能な取付ネジ３０によって螺着されている。
なお、図４及び図５では、取付ネジ３０，３１による螺着箇所がそれぞれ二箇所である例を示しているが、螺着箇所の数は支柱部材５０Ａの受け部５Ｂの形状や連結部材１０の形状等に応じて適宜変更することができる。
【００３９】
また、図７に示すように、連結部材１０において上板連結部１０Ｂは、その上面が支持体連結部１０Ａに連設されており、支持体連結部１０Ａにおける支持片１１の上面と面一となるように形成されている。そして、図５、図７に示すように、連結部材１０の上板連結部１０Ｂの上面が、上板３の下面３ｄに取付ネジ３２によって螺着されている。なお、図５に示すように、本実施形態では、取付ネジ３２による螺着箇所がそれぞれ二箇所である例を示しているが、螺着箇所の数は連結部材１０の上板連結部１０Ｂの形状や上板３の形状等に応じて適宜変更することができる。
【００４０】
連結部材１０の支柱部材５０Ａへの連結方向は適宜変更可能とされている。例えば、連結部材１０の支持体連結部１０Ａが連結部材１０の軸線に対してなす角度は略０°とされているが、自在に変更可能である。例えば、連結部分Ｄを境界として支持体連結部１０Ａが屈曲又は湾曲していてもよい。
【００４１】
図２及び図６に示すように、支持体５において、杆材１８は、支柱部材５０Ａの受け部５Ｂと略同一の断面を有する把持部１８Ｃを備える。そして、支柱部材５０Ａの突起部５ｃは把持部１８Ｃに嵌合されることで、把持部１８Ｃに把持されている。また、図７に示すように、杆材１８は、上板３の中央側に突出する突部１８Ｄと、中央側と反対側となる上板３の外縁部３ａ側に突出する突部１８Ｅとを有して左右対象な断面形状をなしている。突部１８Ｄは、受け部５Ｂ、即ち突出部４０において上板３の中央側に形成されている上部傾斜面５１、下部傾斜面５２及び側端面５４とそれぞれ面一となる面により形成されている。
【００４２】
図１に示すように、杆材１８の延設された方向（即ち、Ｙ方向）の中央部には、中央支持材１９の端部が連結されている。中央支持材１９は、上板３の下面３ｂにケーブル収容部２０のＹ方向外側でケーブル収容部２０に平行して設けられている。
図２に示すように、杆材１８が連結されている端部とは反対側の連結部材１０の長手方向の端部と中央支持材１９とは、短杆材２２によって連結されている。なお、ケーブル収容部２０を挟んでＹ方向に間隔をあけて設けられている中央支持材１９同士は、中央連結材２１によって連結されている。
【００４３】
以上説明したように、本実施形態のデスク１Ａによれば、支柱部材５０Ａの受け部５Ｂが連結部材１０の上部及び下部の支持片１１，１２間に上下に挟み込まれた状態で、支柱部材５０Ａと連結部材１０とが固定部４８で引き付けられて固定される。これにより、支柱部材５０Ａと連結部材１０が上下方向及び上下方向に交差する方向に拘束され、支柱部材５０Ａと連結部材１０との連結強度を高めることができる。また、支柱部材５０Ａと連結部材１０とが固定部４８により上下方向に交差する方向に付与される締結力により引き付けられて固定されるので、固定部４８を構成する取付ネジ３１を支柱部材５０Ａと連結部材１０との連結部から下方に突出させることなく、上下方向においてコンパクトに構成することができる。従って、上板３の下方の収容空間が広く確保され、執務者の快適性を高めることができる。
【００４４】
また、本実施形態のデスク１Ａによれば、取付ネジ３０によって上部の把持片１１が支柱部材５０Ａの上面５ｄに強固に連結されているので、支柱部材５０Ａと連結部材１０との連結強度がより高まり、什器として強固且つ安定的に構成される。この場合にも、取付ネジ３０は上方から着脱可能な構成であることで、支柱部材５０Ａと連結部材１０との連結部から下方に突出させることなく、上下方向においてコンパクトに構成することができる。
【００４５】
また、本実施形態のデスク１Ａによれば、下部傾斜面５２及び上部傾斜面５１のそれぞれに沿って連結部材１０が把持空間Ｓの内方に引き付けられることにより、支柱部材５０Ａと連結部材１０との連結強度がより高まり、什器として強固且つ安定的に構成される。
【００４６】
また、本実施形態のデスク１Ａによれば、支柱部材５０Ａの杆材１８の内側面（即ち、上板の中央側）に突出部が突出するので、什器としての体裁が軽快なデザインになり、什器側方（即ち、上板の外縁側）からの使い勝手が良好になる。
また、杆材１８が左右対象な断面形状をなし、上板３の外縁部に沿った方向を向き、外側面（即ち、上板の外方に向く側）に下部傾斜面５２を形成することによって、剛性を確保する上で必要な部材断面を確保しつつ、執務者に対して杆材１８を薄く見せることができ、杆材１８の体裁が良好に収まる。これにより、什器としての体裁がさらに軽快なデザインになる。
【００４７】
以上、本発明の好ましい形態について詳述したが、本発明は上述の実施形態に限定されるものではなく、特許請求の範囲内に記載された本発明の要旨の範囲内において、種々の変形・変更が可能である。
また、本発明では適宜、上述の実施形態のうち二以上を組み合わせてもよい。
【符号の説明】
【００４８】
１Ａ…デスク（上板付き什器）、３…上板、３ｄ…下面、５…支柱部材５０Ａｐ…側面、１０…連結部材、１０Ａ…支持体連結部、１０Ｂ…上板連結部、１１…上部の支持片（上下一対の把持片）、１２…下部の支持片（上下一対の把持片）、１８…杆材（上部部材）、４０…突出部、４８…固定部、５１…上部傾斜面、５２…下部傾斜面
【図１】
0006647837.tif 000002
【図２】
0006647837.tif 000003
【図３】
0006647837.tif 000004
【図４】
0006647837.tif 000005
【図５】
0006647837.tif 000006
【図６】
0006647837.tif 000007
【図７】
0006647837.tif 000008